(57)【要約】【課題】網戸を窓枠に対して固定するための操作が不要となる構成の建具を提供する。【解決手段】窓の枠体１の室外側に、網戸３０が移動可能に取付けられる。網戸３０の戸先側に網戸自走防止部材４１を備える。外障子３の閉じ動作中に、網戸自走防止部材４１の戸当り部４１ｂは、外障子３の戸先側見込み面部３ａに当接する。これにより、網戸３０の自走が防止される。【選択図】図３
2017133263.tif 000002
【特許請求の範囲】
【請求項１】
建物の開口部に固定して設けられる枠体と、前記枠体内に左右に移動可能にまたは固定して納めた内障子と、前記枠体に左右に移動可能に納めた外障子と、前記外障子よりも室外側に配設され、左右に移動可能に前記枠体に支持される網戸とを有する建具において、
前記外障子の閉じ動作中に前記外障子の見込み面部に当接する戸当り部を有する網戸自走防止部材を、前記網戸に設けたことを特徴とする建具。
【請求項２】
請求項１に記載の建具において、
前記網戸の戸先側に、前記外障子の閉じ動作中に前記外障子の戸先側見込み面部に当接する戸当り部を有する網戸自走防止部材を備え、
前記外障子が閉じた状態において、前記戸当り部が前記枠体の見込み面部と前記外障子の見込み面部との間に位置することを特徴とする建具。
【発明の詳細な説明】
【技術分野】
【０００１】
本発明は、窓の枠体に移動可能に網戸が取付けられる建具に係わり、特に網戸の自走を防止する装置に関する。
【背景技術】
【０００２】
引違い窓や片引き窓に取付けられる網戸は、台風等の際に強風を受けると自走したり窓枠から外れたりするおそれがある。このため、網戸を移動可能に取付けた窓においては、例えば特許文献１に開示されているように、網戸が窓の枠体から外れて落下する等の事故を防止する網戸自走防止装置が備えられている。
【０００３】
特許文献１に開示されている従来の網戸自走防止装置は、網戸の縦框に上下動可能にロック部材を設けると共に、窓の枠体の縦枠にロック部材の受け部材を設け、ロック部材を上下に操作することにより、ロック部材を受け部材に係合、離脱させて網戸を枠体に固定あるいは固定解除する構成を有している。
【先行技術文献】
【特許文献】
【０００４】
【特許文献１】特開２００７−１７７４５８号公報
【発明の概要】
【発明が解決しようとする課題】
【０００５】
しかしながら、前述した従来の建具の網戸自走防止装置においては、網戸を窓の枠体に対して固定するための操作に手間がかかるという問題点があった。また、ロック部材の操作を忘れる等によりロックを怠ると、強風等の外力が作用して網戸が勝手に動いてしまうおそれがある。
【０００６】
本発明は、上記問題点に鑑み、網戸を窓の枠体に対して固定するための操作が不要となる構成の建具を提供することを目的とする。
【課題を解決するための手段】
【０００７】
本発明の建具は、
建物の開口部に固定して設けられる枠体と、前記枠体内に左右に移動可能にまたは固定して納めた内障子と、前記枠体に左右に移動可能に納めた外障子と、前記外障子よりも室外側に配設され、左右に移動可能に前記枠体に支持される網戸とを有する建具において、
前記外障子の閉じ動作中に前記外障子の見込み面部に当接する戸当り部を有する網戸自走防止部材を、前記網戸に設けたことを特徴とする。
【０００８】
また、本発明の建具は、前記建具において、
前記網戸の戸先側に、前記外障子の閉じ動作中に前記外障子の戸先側見込み面部に当接する戸当り部を有する網戸自走防止部材を備え、
前記外障子が閉じた状態において、前記戸当り部が前記枠体の見込み面部と前記外障子の見込み面部との間に位置することを特徴とする。
【発明の効果】
【０００９】
本発明においては、外障子の閉鎖時に、外障子の見込み面部に当接する戸当り部を有する網戸自走防止部材を備えたので、外障子を閉じることにより、網戸が外障子により拘束されて自走が防止されるため、網戸を窓の枠体に固定するための操作が不要となる。
【図面の簡単な説明】
【００１０】
【図１】本発明による建具の一実施の形態を示す横断面図であり、引違い窓について示す。
【図２】（Ａ）はこの実施の形態の建具の縦断面図、（Ｂ）は網戸自走防止部材の取付け部位を示すために網戸を室内側から見た図である。
【図３】図１の部分拡大断面図である。
【図４】この実施の形態の網戸自走防止部材を示す図であり、（Ａ）は網戸自走防止部材の平面図、（Ｂ）は（Ａ）のＥ矢視図、（Ｃ）は（Ａ）のＦ矢視図である。
【図５】（Ａ）はこの実施の形態における網戸自走防止部材の取付け金具を示す平面図、（Ｂ）は（Ａ）のＧ矢視図である。
【図６】この実施の形態の建具を、外障子を開いた状態で示す横断面図である。
【図７】本発明による他の実施の形態である外動式片引き窓を示す横断面図である。
【図８】図７に示す外動式片引き窓の縦断面図である。
【発明を実施するための形態】
【００１１】
図１は本発明の建具の一実施の形態を示す横断面図、図２（Ａ）はその縦断面図である。この実施の形態は、建具が引違い窓である場合について示す。１は窓の枠体であり、この枠体１内に内障子２と外障子３が左右に移動可能に納められる。３０は枠体１における外障子３の室外側に左右に移動可能に取付けられる網戸である。枠体１は、左右の縦枠４，５と上枠６と下枠７とで構成され、これらは、アルミニウム合金等の金属製押出形材、あるいは樹脂製の押出形材により構成され、これらをタッピングねじ(図示せず)により組み合わせて矩形に構成する。
【００１２】
内障子２は、縦框９と内召し合わせ框１０と上框１１と中框１２下框１３とで上下２段のガラスパネル装着部を有する枠を組み、各ガラスパネル装着部にガラスパネル１４を組み込んでなる。外障子３は、縦框１５と外召し合わせ框１６と上框１７と中框１８と下框１９とで上下２つのガラスパネル装着部を有する枠を組み、その各ガラスパネル装着部内にガラスパネル２０を組み込んでなる。これらの框９〜１３および１５〜１９は、アルミニウム合金等の金属製押出形材、あるいは樹脂製の押出形材により構成され、タッピングねじ(図示せず)により組み合わせて矩形に構成する。
【００１３】
内障子２は、下框１３に取付けた溝付きローラ２５ａを下枠７の上面に形成したガイドレール７ａ上に載せ、上框１１に設けた溝部２７ａを、上枠６に形成したガイドレール６ａに摺動可能に嵌めて枠体１に移動可能に取付けられる。外障子３は、下框１９に取付けた溝付きローラ２５ｂを下枠７の上面に形成したガイドレール７ｂ上に載せ、上框１１に設けた溝部２７ｂを、上枠６に形成したガイドレール６ｂに摺動可能に嵌めて枠体１に移動可能に取付けられる。
【００１４】
網戸３０は、左右の縦框３１と上框３２と中框３３と下框３４とで上下２つの網装着部を有する枠を組み、その各網装着部に網３５を取付けて構成される。各框３１〜３４はアルミニウム合金等の金属製押出形材、あるいは樹脂製の押出形材により構成され、タッピングねじ（図示せず）により結合される。網戸３０の下框３４には溝付きローラ３６が取付けられ、このローラ３６を枠体１の下枠７の室外側に設けたガイドレール７ｃ上に載せ、上框３２に設けた外れ止め用の溝部３７を、上枠６の室外側に垂下状に設けた垂下片６ｃに移動可能に嵌める。この網戸３０の取付け構造により、網戸３０は枠体１の室外側において、移動可能に取付けられる。
【００１５】
図１において、４０は網戸３０を枠体１に固定する網戸自走防止装置である。この実施の形態の網戸自走防止装置４０は、網戸３０の戸先側の縦框３１に設けられる。この網戸自走防止装置４０は、網戸自走防止部材４１と取付け金具４２とにより構成される。この網戸自走防止装置４０は、外障子３の閉じ動作中に、網戸自走防止部材４１が外障子３の戸先側見込み面部３ａに当接し、外障子３が閉じた状態においては、外障子３と枠体１の縦枠４との間に位置することにより、網戸３０を枠体１に固定するものである。この実施の形態においては、図２（Ｂ）に示すように、網戸３０の戸先側縦框３１における上下の位置にそれぞれ網戸自走防止部材４１を設けている。
【００１６】
図３は図１の網戸自走防止装置４０を取付け状態で拡大して示し、図４は網戸自走防止部材４１を示す。図３、図４に示すように、網戸自走防止部材４１は、網戸への取付け部４１ａと、外障子３の閉鎖時に見込み面部３ａに当接させる戸当り部４１ｂと、取付け部４１ａと戸当り部４１ｂとの間に設けられ、縦枠４の室外板部４ａとの干渉を避けるための曲成部４１ｃ，４１ｄとからなる。取付け部４１ａ側の曲成部４１ｃは、室内側の板面どうしのなす角度が鈍角をなす。戸当り部４１ｂ側の曲成部４１ｄは、網戸３０や障子２，３の移動方向と平行をなす。戸当り部４１ｂは、曲成部４ｄに対してほぼ直角をなす。
【００１７】
図４に示すように、取付け部４１ａには、上下２つを１組として、２組の横長の取付け孔４ｅ，４ｅおよび４ｆ，４ｆを、各組の孔４ｅ，４ｆの位置を網戸３０の移動方向に異ならせて設けている。このように、取付け孔４ｅ，４ｆを横長とし、その位置を異ならせて複数の取付け孔４ｅ，４ｆを設けているのは、種々の網戸３０の構成の相違に対応して、網戸３０の縦框３１における網戸自走防止部材４１の網戸３０の移動方向の取付け位置を調整可能とするためである。
【００１８】
図５に示すように、取付け金具４２は平面視がＬ字形をなし、上下にボルト４３を螺合するためのねじ孔４２ａ，４２ａを有する。ねじ孔４２ａは網戸３０の移動方向に突出した上下２つの突出部４２ｂ，４２ｂにそれぞれ設けられており、各突出部４２ｂの上下にそれぞれ室内側に突出した折曲げ部４２ｃを形成している。
【００１９】
図３において、３１ａは縦框３１の室内側見付け面部３１ｄに設けた貫通孔であり、ボルト４３を通すためのものである。３１ｂは網戸３０を開閉するための手掛け、３１ｃは縦框３１の内側に形成された溝部である。取付け金具４２は網戸３０の縦框３１の内部に収容する。この縦框３１への取付け金具４２の収容は、図５に示した折曲げ部４２ｃを、縦框３１内の溝部３１ｃに嵌め込んで行なう。網戸自走防止部材４１の縦框３１への固定は、縦框３１の室内側見付け面部３１ｄに網戸自走防止部材４１の取付け部４１ａを当て、取付け孔４１ｅ（または４１ｆ）および縦框３１の貫通孔３１ａにボルト４３を挿通して取付け金具４２のねじ孔４２ａに螺合し締結することにより行なう。
【００２０】
図６は外障子３を開いた状態を示す。この状態では、外障子３は網戸３０を拘束していないため、網戸３０を開く（図面上、右側に移動させる）ことができる。網戸３０と外障子３を共に開いた状態から外障子３を閉じる（図面上、左側に移動させる）と、網戸３０に取付けた網戸自走防止部材４１の戸当り部４１ｂに外障子３の戸先側見込み面部３ａが当接し、網戸３０が外障子３と共に閉じ方向に移動する。そして図３に示すように、網戸自走防止部材４１の戸当り部４１ｂが、外障子３の戸先側見込み面部３ａと縦枠４の見込み面部４ｂとの間に位置すると共に、曲成部４１ｄが外障子３の室外側見付け面部３ｂと縦枠４の室外側板部４ａとの間に位置し、網戸３０が外障子３により枠体１に拘束される。この外障子３の閉じ状態において、戸当り部４１ｂは網戸３０の左右方向の移動を防ぎ、曲成部４１ｄは網戸３０の室外方向への移動を防ぐ。
【００２１】
このように、外障子３が閉じている状態では、クレセント錠(図示せず)により施錠して外障子３、内障子２を閉じている限り、網戸３０が枠体１から外れることがない。網戸３０が強風で外れる現象は、風の流れの関係上、障子２，３が閉じている状態で起きやすくなるが、障子２，３が閉じている限り、網戸３０が枠体１に固定されているので、強風によって網戸３０が自走したり外れることが防止される。
【００２２】
また、クレセント錠を施錠することにより、内障子２と外障子３とが互いにスライド方向について反対側に離れるような力、すなわち、外障子３を縦枠４側により近ずける力が加わるため、網戸自走防止部材４１が外障子３の戸先側見込み面部３ａと縦枠４の見込み面部４ｂとの間でより強固に固定される。
【００２３】
このように、外障子３を閉じた状態では、網戸自走防止部材４１が枠体１の縦枠４と外障子３の戸先側見込み面部３ａとの間で挟持され、網戸３０が固定されるため、網戸３０を枠体１に固定するための操作が不要となる。
【００２４】
網戸自走防止部材４１は、縦框３１のみならず、上框３２、中框３３または下框３４に設けてもよい。また、網戸自走防止部材４１は、１個だけ設けてもよいが、複数個設けることによってより強固に網戸３０を枠体１に固定することができる。また、図２（Ｂ）に示すように、網戸３０の戸先側の上下２個所に網戸自走防止部材４１を設ければ、網戸自走防止部材４１が目立たないため、外観を損なうことがなく、また、網戸３０をより確実に固定することができる。
【００２５】
本発明の網戸自走防止装置は、引違いサッシのみならず、外動式片引きサッシにも適用できる。図７は本発明による他の実施の形態である外動式片引きサッシ窓を示す横断面図、図８はその縦断面図である。６１は窓枠であり、この枠体６１内に内障子６２と外障子６３が取付けられる。内障子６２は枠体６１内に固定して取付けられ、外障子６３は枠体６１に移動可能に取付けられる。９０は枠体６１における外障子６３の室外側に移動可能に取付けられる網戸である。枠体６１は、左右の縦枠６４，６５と上枠６６と下枠６７とで構成される。これらの左右の縦枠６４，６５と上枠６６と下枠６７は、アルミニウム合金等の金属製押出形材、あるいは樹脂製の押出形材により構成され、これらをタッピングねじ(図示せず)により組み合わせて矩形に構成する。
【００２６】
内障子６２は、縦枠６５と内召し合わせ框７０と上枠６６と下枠６７と内召し合わせ框７０および縦枠６５の間に設けられる中框(図示せず)との間で上下２つのガラスパネル装着部を有する枠を組み、各ガラスパネル装着部にガラスパネル７４を組み込んでなる。外障子６３は、縦框７５と外召し合わせ框７６と上框７７と中框７８と下框７９とで上下２つのガラスパネル装着部を有する枠を組み、その各ガラスパネル装着部内にガラスパネル８０を組み込んでなる。これらの框７０，７５〜７９も、アルミニウム合金等の金属製押出形材、あるいは樹脂製の押出形材により構成される。
【００２７】
外障子６３は、下框７９に取付けた溝付きローラ８５を下枠６７の上面に形成したガイドレール６７ａ上に載せ、上框７７に設けた溝部７７ａを、上枠６６に形成したガイドレール６６ａに摺動可能に嵌めて枠体６１に移動可能に取付けられる。
【００２８】
網戸９０は、左右の縦框９１と上框９２と中框９３と下框９４とで上下２つの網装着部を有する枠を組み、その各網装着部に網９５を取付けて構成される。各框９１〜９４はアルミニウム合金等の金属製押出形材、あるいは樹脂製の押出形材により構成され、タッピングねじ（図示せず）により結合される。網戸９０の下框９４には溝付きローラ９６が取付けられ、このローラ９６を枠体６１の下枠６７の室外側に設けたガイドレール６７ｂに載せ、上框９２に設けた溝部９７を、上枠６６の室外側に垂下状に設けた垂下片６６ｂに移動可能に嵌めて取付けられる。この網戸の取付け構造により、網戸９０は枠体６１の室外側において、移動可能に取付けられる。
【００２９】
図７において、４０は網戸３０を枠体１に固定する網戸自走防止装置である。この網戸自走防止装置４０は、図１〜図５で示した前記実施の形態のものと部品構成、構造が同じであり、図１〜図５に示した符号と同じ符号は、同じ部品、部分を示しているので、詳細な説明を省略する。
【００３０】
図７、図８に示すような外動式片引きサッシにおいても、外障子６３を閉めた状態では、網戸自走防止部材４１が外障子６３の見込み面部６３ａと枠体６１の縦枠６４との間で挟持され、外障子６３のクレセント錠によって施錠されることにより、網戸９０が固定されるので、網戸９０の固定操作が不要となる。
【００３１】
さらに本発明の網戸自走防止装置は、２枚の内障子を窓の枠体の左右に配置して固定し、２枚の内障子の間を開口部とし、その開口部を開閉するための２枚の外障子を枠体に左右に移動可能に取付け、外障子の室外側に２枚の網戸を左右に移動可能に取付けた建具にも適用できる。このような２枚の外障子と２枚の網戸を備える場合には、網戸自走防止部材は、２枚の網戸の互いに突き合わされる縦框等に取付ける。そして外障子が互いに突き合わされる状態となるように閉じ動作をする際には、各外障子の見込み面部が網戸自走防止部材の戸当り部に当たり、外障子が閉じた状態では、各網戸の網戸自走防止部材の戸当り部が外障子の見込み面部間に挟まり、網戸の自走が防止される。
【００３２】
上記いずれの実施の形態においても、縦框３１，９１内に収容した取付け金具４２を用いて網戸自走防止部材４１を取付けた例を示したが、ターンナットやポットナット（登録商標）等のように、網戸３０の室内側見付け面に後付け可能なナットを取付ければ、網戸自走防止部材４１を後付け可能であり、既存の窓であっても、網戸自走防止部材４１を取付けることができる。
【００３３】
また、網戸自走防止部材４１は、縦框３１，９１に一体に形成されたものとして構成してもよい。
【００３４】
その他、本発明を実施する場合、本発明の要旨を逸脱しない範囲において、構成部材やその組み合わせについて、種々の変更、付加が可能である。
【符号の説明】
【００３５】
１，６１  窓枠
２，６２  内障子
３，６３  外障子
５，６５  縦枠
３０，９０  網戸
３１，９１  縦框
４０  網戸自走防止装置
４１  網戸自走防止部材
４２  取付け金具
４３  ボルト
【図１】
2017133263.tif 000003
【図２】
2017133263.tif 000004
【図３】
2017133263.tif 000005
【図４】
2017133263.tif 000006
【図５】
2017133263.tif 000007
【図６】
2017133263.tif 000008
【図７】
2017133263.tif 000009
【図８】
2017133263.tif 000010